(57)【特許請求の範囲】
【請求項１】
ａ）海岸等の砂浜を掘削して掘削領域を形成する段階と、
ｂ）前記掘削領域に、透水性で後記（ｄ）の接合に必要な余長部を有する砕石保持シートを敷設する段階と、
ｃ）前記掘削領域内の砕石保持シートの上へ砕石を投入する段階と、
ｄ）掘削領域内への砕石の投入が完了した後に、前記砕石保持シートの余長部で前記砕石層の上面を覆い、その重合部を接合し、更にその上面を覆い砂で被覆する段階と、から成ることをそれぞれ特徴とする、砂浜の安定化方法における排水層の築造方法。
【請求項２】
ａ）海岸等の砂浜を掘削して掘削領域を形成する段階と、
ｂ）砕石を中詰めした透水性のある石詰めユニットを前記掘削領域の法面の内側面に沿って設置する段階と、
ｃ）前記掘削領域に、透水性で後記（ｅ）の接合に必要な余長部を有する砕石保持シートを敷設する段階と、
ｄ）前記掘削領域内の砕石保持シートの上へ砕石を投入する段階と、
ｅ）掘削領域内への砕石の投入が完了した後に、前記砕石保持シートの余長部で前記砕石層の上面を覆い、その重合部を接合し、更にその上面を覆い砂で被覆する段階と、から成ることをそれぞれ特徴とする、砂浜の安定化方法における排水層の築造方法。
【請求項３】
ａ）海岸等の砂浜に施工区域の山止めを設け、前記山止め内の砂浜を掘削して掘削領域を形成する段階と、
ｂ）前記掘削領域に、透水性で後記（ｄ）の接合に必要な余長部を有する砕石保持シートを敷設する段階と、
ｃ）前記掘削領域内の砕石保持シートの上へ砕石を投入する段階と、
ｄ）掘削領域内への砕石の投入が完了した後に、前記砕石保持シートの余長部で前記砕石層の上面を覆い、その重合部を接合し、更にその上面を覆い砂で被覆する段階と、
ｅ）前記砕石保持シートの余長部で砕石の上面を覆った後の何れかの時期に山止めを撤去すること、
をそれぞれ特徴とする、砂浜の安定化方法における排水層の築造方法。
【請求項４】
ａ）海岸等の砂浜に施工区域の山止めを設け、前記山止め内の砂浜を掘削して掘削領域を形成する段階と、
ｂ）砕石を中詰めした透水性のある石詰めユニットを前記山止めの内側面に沿って設置する段階と、
ｃ）前記掘削領域に、透水性で後記（ｅ）の接合に必要な余長部を有する砕石保持シートを敷設する段階と、
ｄ）前記掘削領域内の砕石保持シートの上へ砕石を投入する段階と、
ｅ）掘削領域内への砕石の投入が完了した後に、前記砕石保持シートの余長部で前記砕石層の上面を覆い、その重合部を接合し、更にその上面を覆い砂で被覆する段階と、
ｆ）前記石詰めユニットの設置を完了した後、前記ｃ），ｄ），ｅ）の段階の何れかの時期に山止めを撤去すること、
をそれぞれ特徴とする、砂浜の安定化方法における排水層の築造方法。
【請求項５】
砕石保持シートの余長部は、その上へ投入した砕石層の上面へ蓋シートとの接合が可能なだけ露出する長さとし、砕石層の上面を覆う蓋シートを設置し、前記余長部との重合部を接合することを特徴とする、請求項１乃至４のいずれか一に記載した砂浜の安定化方法における排水層の築造方法。
【請求項６】
砂浜を掘削した掘削領域内へ敷設した砕石保持シートへの砕石投入が完了した後に、該砕石層の上面に目詰まり防止シートを敷設し、更にその上を砕石保持シートの余長部又は蓋シートで覆い、その重合部を接合することを特徴とする、請求項１乃至５のいずれか一に記載した砂浜の安定化方法における排水層の築造方法。
【請求項７】
砂浜の施工区域に山止めを設け、この山止め内の砂浜を掘削した掘削領域内には、前記山止めの内側面に沿う位置及び該掘削領域を複数に分割する位置に石詰めユニットを設置し、分割された掘削領域毎に区分して複数の砕石保持シートを敷設し、その後はそれぞれの砕石保持シートについて以降の各施工段階を進めることを特徴とする、請求項３又は４に記載した砂浜の安定化方法における排水層の築造方法。
【請求項８】
砂浜を掘削した掘削領域内には、その法面の内側面に沿う位置及び該掘削領域を複数に分割する位置に石詰めユニットを設置し、分割された掘削領域毎に区分して複数の砕石保持シートを敷設し、その後はそれぞれの砕石保持シートについて以降の各施工段階を進めることを特徴とする、請求項１又は２に記載した砂浜の安定化方法における排水層の築造方法。
【請求項９】
分割された掘削領域毎に区別して敷設された砕石保持シート毎に蓋シートが使用され、砕石層の上面を覆った蓋シートと砕石保持シートの余長部との重合部が接合されることを特徴とする、請求項７又は８に記載した砂浜の安定化方法における排水層の築造方法。
【請求項１０】
海岸等の砂浜に施工区域が複数ある場合には、施工の各段階を施工区域毎に繰り返して所要範囲まで砂浜の安定化処理を進めることを特徴とする、請求項１乃至９のいずれか一に記載した砂浜の安定化方法における排水層の築造方法。
【請求項１１】
砕石保持シートの余長部又は蓋シートで砕石の上面を覆い重合部を接合した後に、砕石を中詰めした透水性ユニットを前記砕石保持シート又は蓋シートの上に載置し、更に覆い砂で被覆することを特徴とする、請求項１乃至１０のいずれか一に記載した砂浜の安定化方法における排水層の築造方法。
【請求項１２】
砕石の掘削領域内への投入は、砕石を台船に積載して海上を運搬し、掘削領域の沖合いに留めた台船上の砕石をベルトコンベア等により直接掘削領域内へ投入することを特徴とする、請求項１乃至１１のいずれか一に記載した砂浜の安定化方法における排水層の築造方法。
【請求項１３】
掘削領域内へ敷設する砕石保持シートには、海水等の浮力よりも大きい重量の重りを取り付けておくことを特徴とする、請求項１乃至１１のいずれか一に記載した砂浜の安定化方法における排水層の築造方法。
【請求項１４】
掘削領域内へ敷設する砕石保持シートには、海水等の浮力よりも大きい重量のチエンを線条又は格子状の配置に取り付けておくことを特徴とする、請求項１乃至１１又は１３のいずれか一に記載した砂浜の安定化方法における排水層の築造方法。
【請求項１５】
砕石保持シートの余長部又は蓋シートは、同砕石保持シートの底面に止着して立ち上げた複数の締付け部材を利用して複数箇所を押え付けることを特徴とする、請求項１乃至１１のいずれか一に記載した砂浜の安定化方法における排水層の築造方法。
【請求項１６】
締付け部材はその先端部にフロートを取付けて水面上に立ち上げさせ、前記締付け部材の水面上のフロート位置を拘束する位置決めロープを、縦、横の一方向乃至双方向に配置することを特徴とする、請求項１５に記載した砂浜の安定化方法における排水層の築造方法。
【請求項１７】
位置決めロープは、砕石保持シートの余長部近辺に用意した止着部を利用して配置され、蓋シートもまた前記止着部を利用して砕石保持シートの余長部との接合が行われることを特徴とする、請求項１６に記載した砂浜の安定化方法における排水層の築造方法。
【発明の詳細な説明】
【０００１】
【発明の属する技術分野】
この発明は、海岸等の砂浜の波浪による侵食を抑制すると共に、砂の堆積を促進する砂浜の安定化方法に実施する排水層の築造方法の技術分野に属する。
【０００２】
【従来の技術】
海岸等の砂浜を安定化させる技術として、砕石等の石材を排水層にして砂浜の下に埋設する安定化方法が、例えば第２６３６１２０号の特許発明として成立している。この安定化方法における排水層乃至その築造方法は、覆い砂が万一取り除かれた場合に、排水層が露出して砕石等が飛散したり、砕石の投入時点において砂浜に散乱して自然砂浜の良さが損われないようにすることが大事なポイントである。
【０００３】
そこで従来、透水性の箱状の化学繊維製容器や、いわゆる布団籠といわれる袋状の化学繊維製籠の中に砕石等を入れたものを使用して排水層を築造する方法が実施されている。この従来方法は図２２に例示したように、まず砕石を布団籠ｂに中詰めしたものを多数用意し、これらをトラックで現場（海岸等の砂浜ａ）まで運んで砂浜ａの付近に積載しておく。安定化処理する砂浜ａには山止めｃを設け、その山止めｃ内の砂浜を掘削して掘削領域ｆを形成する。しかる後に、クレーンｅ等の重機を使用して前記の布団籠ｂを吊り上げ、掘削領域ｆ内へ慎重に吊り込み、布団籠ｂ内の砕石を排水層として当該砂浜ａを安定化させる。
【０００４】
【発明が解決しようとする課題】
図２２に示した従来の排水層築造方法では、地上の作業として砕石等を中詰めした布団籠ｂを一つ一つ作り、現場へ運搬し、クレ−ンｅで多数の布団籠ｂを１個ずつ吊り上げ、隣り合う布団籠ｂとの位置関係に十分配慮しつつ、各布団籠ｂを規則的に掘削領域ｆ内へ吊り込まねばならない。つまり、地上で布団籠ｂを作る面倒な準備作業のほか、そのトラック輸送と、足場の悪い海辺で布団籠ｂをクレーンｅにより慎重な吊り降し作業を繰り返して排水層を築造しなければならない。とりわけ布団籠の数量が膨大になりすぎて作業効率、施工性が甚だ悪い。また、布団籠ｂ、ｂの間に隙間が生じていると、そこで排水層の連続性が遮断され、砂の堆積が不十分となり、品質よく砂浜を安定化できないという問題もある。
【０００５】
したがって、本発明の目的は、砂浜を安定化するのに適した排水層を形成する砕石を、バラの状態で掘削領域へ機械的に投入して作業効率を飛躍的に向上することを可能とし、もって工期の短縮、施工コストの低減、維持管理の簡便化を達成する砂浜の安定化方法における排水層の築造方法を提供することにある。
【０００６】
本発明の次の目的は、砕石層の上面を覆うシートの設置、施工を容易にする蓋シートを使用し、また、余長部や蓋シートが露出した状態でも砕石層との密着性を保つように工夫した築造方法を提供することである。
【０００７】
【課題を解決するための手段】
上述の課題を解決するための手段として、請求項１記載の発明に係る砂浜の安定化方法における排水層の築造方法は、
ａ）海岸等の砂浜を掘削して掘削領域を形成する段階と、
ｂ）前記掘削領域に、透水性で後記（ｄ）の接合に必要な余長部を有する砕石保持シートを敷設する段階と、
ｃ）前記掘削領域内の砕石保持シートの上へ砕石を投入する段階と、
ｄ）掘削領域内への砕石の投入が完了した後に、前記砕石保持シートの余長部で前記砕石層の上面を覆い、その重合部を接合し、更にその上面を覆い砂で被覆する段階と、
から成ることをそれぞれ特徴とする。
【０００８】
請求項２記載の発明に係る砂浜の安定化方法における排水層の築造方法は、
ａ）海岸等の砂浜を掘削して掘削領域を形成する段階と、
ｂ）砕石を中詰めした透水性のある石詰めユニットを前記掘削領域の法面の内側面に沿って設置する段階と、
ｃ）前記掘削領域に、透水性で後記（ｅ）の接合に必要な余長部を有する砕石保持シートを敷設する段階と、
ｄ）前記掘削領域内の砕石保持シートの上へ砕石を投入する段階と、
ｅ）掘削領域内への砕石の投入が完了した後に、前記砕石保持シートの余長部で前記砕石層の上面を覆い、その重合部を接合し、更にその上面を覆い砂で被覆する段階と、
から成ることをそれぞれ特徴とする。
【０００９】
請求項３記載の発明に係る砂浜の安定化方法における排水層の築造方法は、
ａ）海岸等の砂浜に施工区域の山止めを設け、前記山止め内の砂浜を掘削して掘削領域を形成する段階と、
ｂ）前記掘削領域に、透水性で後記（ｄ）の接合に必要な余長部を有する砕石保持シートを敷設する段階と、
ｃ）前記掘削領域内の砕石保持シートの上へ砕石を投入する段階と、
ｄ）掘削領域内への砕石の投入が完了した後に、前記砕石保持シートの余長部で前記砕石層の上面を覆い、その重合部を接合し、更にその上面を覆い砂で被覆する段階と、
ｅ）前記砕石保持シートの余長部で砕石の上面を覆った後の何れかの時期に山止めを撤去すること、
をそれぞれ特徴とする。
【００１０】
請求項４記載の発明に係る砂浜の安定化方法における排水層の築造方法は、
ａ）海岸等の砂浜に施工区域の山止めを設け、前記山止め内の砂浜を掘削して掘削領域を形成する段階と、
ｂ）砕石を中詰めした透水性のある石詰めユニットを前記山止めの内側面に沿って設置する段階と、
ｃ）前記掘削領域に、透水性で後記（ｅ）の接合に必要な余長部を有する砕石保持シートを敷設する段階と、
ｄ）前記掘削領域内の砕石保持シートの上へ砕石を投入する段階と、
ｅ）掘削領域内への砕石の投入が完了した後に、前記砕石保持シートの余長部で前記砕石層の上面を覆い、その重合部を接合し、更にその上面を覆い砂で被覆する段階と、
ｆ）前記石詰めユニットの設置を完了した後、前記ｃ），ｄ），ｅ）の段階の何れかの時期に山止めを撤去すること、
をそれぞれ特徴とする。
【００１１】
請求項５記載の発明は、請求項１乃至４のいずれか一に記載した砂浜の安定化方法における排水層の築造方法において、
砕石保持シートの余長部は、その上へ投入した砕石層の上面へ蓋シートとの接合が可能なだけ露出する長さとし、砕石層の上面を覆う蓋シートを設置し、前記余長部との重合部を接合することを特徴とする。
【００１２】
請求項６記載の発明は、請求項１乃至５のいずれか一に記載した砂浜の安定化方法における排水層の築造方法において、
砂浜を掘削した掘削領域内へ敷設した砕石保持シートへの砕石投入が完了した後に、該砕石層の上面に目詰まり防止シートを敷設し、更にその上を砕石保持シートの余長部又は蓋シートで覆い、その重合部を接合することを特徴とする。
【００１３】
請求項７記載の発明は、請求項３又は４に記載した砂浜の安定化方法における排水層の築造方法において、
砂浜の施工区域に山止めを設け、この山止め内の砂浜を掘削した掘削領域内には、前記山止めの内側面に沿う位置及び該掘削領域を複数に分割する位置に石詰めユニットを設置し、分割された掘削領域毎に区分して複数の砕石保持シートを敷設し、その後はそれぞれの砕石保持シートについて以降の各施工段階を進めることを特徴とする。
【００１４】
請求項８記載の発明は、請求項１又は２に記載した砂浜の安定化方法における排水層の築造方法において、
砂浜を掘削した掘削領域内には、その法面の内側面に沿う位置及び該掘削領域を複数に分割する位置に石詰めユニットを設置し、分割された掘削領域毎に区分して複数の砕石保持シートを敷設し、その後はそれぞれの砕石保持シートについて以降の各施工段階を進めることを特徴とする。
【００１５】
請求項９記載の発明は、請求項７又は８に記載した砂浜の安定化方法における排水層の築造方法において、
分割された掘削領域毎に区別して敷設された砕石保持シート毎に蓋シートが使用され、砕石層の上面を覆った蓋シートと砕石保持シートの余長部との重合部が接合されることを特徴とする。
【００１６】
請求項１０記載の発明は、請求項１乃至９のいずれか一に記載した砂浜の安定化方法における排水層の築造方法において、
海岸等の砂浜に施工区域が複数ある場合には、施工の各段階を施工区域毎に繰り返して所要範囲まで砂浜の安定化処理を進めることを特徴とする。
【００１７】
請求項１１記載の発明は、請求項１乃至１０のいずれか一に記載した砂浜の安定化方法における排水層の築造方法において、
砕石保持シートの余長部又は蓋シートで砕石の上面を覆い重合部を接合した後に、砕石を中詰めした透水性ユニットを前記砕石保持シート又は蓋シートの上に載置し、更に覆い砂で被覆することを特徴とする。
【００１８】
請求項１２記載の発明は、請求項１乃至１１のいずれか一に記載した砂浜の安定化方法における排水層の築造方法において、
砕石の掘削領域内への投入は、砕石を台船に積載して海上を運搬し、掘削領域の沖合いに留めた台船上の砕石をベルトコンベア等により直接掘削領域内へ投入することを特徴とする。
【００１９】
請求項１３記載の発明は、請求項１乃至１１のいずれか一に記載した砂浜の安定化方法における排水層の築造方法において、
掘削領域内へ敷設する砕石保持シートには、海水等の浮力よりも大きい重量の重りを取り付けておくことを特徴とする。
【００２０】
請求項１４記載の発明は、請求項１乃至１１又は１３のいずれか一に記載した砂浜の安定化方法における排水層の築造方法において、
掘削領域内へ敷設する砕石保持シートには、海水等の浮力よりも大きい重量のチエンを線条又は格子状の配置に取り付けておくことを特徴とする。
【００２１】
請求項１５記載の発明は、請求項１乃至１１のいずれか一に記載した砂浜の安定化方法における排水層の築造方法において、
砕石保持シートの余長部又は蓋シートは、砕石保持シートの底面に止着して立ち上げた複数の締付け部材で複数箇所を押え付けることを特徴とする。
【００２２】
請求項１６記載の発明は、請求項１５に記載した砂浜の安定化方法における排水層の築造方法において、
締付け部材はその先端部にフロートを取付けて水面上に立ち上げさせ、前記締付け部材の水面上のフロート位置を拘束する位置決めロープを、縦、横の一方向乃至双方向に配置することを特徴とする。
【００２３】
請求項１７記載の発明は、請求項１６に記載した砂浜の安定化方法における排水層の築造方法において、
位置決めロープは、砕石保持シートの余長部近辺に用意した止着部を利用して配置され、蓋シートもまた前記止着部を利用して砕石保持シートの余長部との接合が行われることを特徴とする。
【００２４】
【発明の実施の形態及び実施例】
請求項１に記載した発明の実施形態を図１ａ〜ｃに示した。この発明は、図８Ｂに鳥瞰図を示したような海岸等の砂浜１が波浪により侵食されるのを防止し、砂を恒久的に堆積させて砂浜を安定化させる方法における排水層の築造方法として実施される。安定化処理しようとする海岸等の砂浜１を、汀線に対し略直交する線を境界線として、例えば幅３０ｍぐらいの大きさ（広さ）を一つの施工単位と定め、この施工単位毎に順次砂浜安定化のための排水層築造工事を進める。
【００２５】
以下、本発明の実施形態を概説する。
【００２６】
排水層築造工事の第１段階として、海岸等の砂浜１における前記施工単位の砂浜をパワーショベル等の重機により掘削して掘削領域３を形成する（図１ａ）。次いで、前記掘削領域３に、透水性で後記の接合に必要十分な長さの余長部７ａを有する砕石保持シート７を敷設する（図１ｂ）。そして、前記掘削領域３内の砕石保持シート７の上へ砕石５を投入する（図１ｃ）。こうして掘削領域３内への砕石５の投入が完了した後には、図２に示したように、前記砕石保持シート７の両端に用意した余長部７ａで前記砕石層５の上面を覆い、その重合部Ｐを例えば縫合、クリップ止め等の手段で強く接合して砕石層５を砕石保持シート７で包み込んだ、一個の大きな排水性の良い布団籠のような排水層を構築する。更にこの排水層の上面を覆い砂１ａで被覆して、既存の砂浜１と同等レベルに復旧した砂浜の外観を完成する。
【００２７】
次に、請求項２記載の発明に係る砂浜の安定化方法における排水層の築造方法の実施形態を図３ａ〜ｃに基いて概説する。
【００２８】
この発明の場合にも、海岸等の砂浜１を掘削して掘削領域３を形成することに変わりはない（図３ａ）。
【００２９】
本発明の特徴は、砕石を中詰めした透水性のある石詰めユニット６を前記掘削領域３の法面３ａの内側面に沿って設置し、法面３ａの崩壊を未然に防止することにある（図３ｂ）。
【００３０】
その後、前記掘削領域３に、透水性で後記の接合に必要な余長部７ａを有する砕石保持シート７を敷設し、前記掘削領域内の砕石保持シート７の上へ砕石５を投入する（図３ｃ）。そして、掘削領域内への砕石５の投入が完了した後には、前記砕石保持シート７の余長部７ａで前記砕石層５の上面を覆い、その重合部Ｐを接合し、更にその上面を覆い砂で被覆する等々の施工段階を進めることは、上記請求項１記載の発明と共通する。
【００３１】
次に、請求項３記載の発明に係る砂浜の安定化方法における排水層の築造方法の実施形態については、具体的に図示することは省略したが、上記請求項１記載の発明における掘削領域３の掘削に先立つ工程として、図４のように海岸等の砂浜に施工区域の境界線に沿って山止め２を設け、周辺砂山の崩壊を防止した後に、前記山止め２内の砂浜を掘削して掘削領域３を形成することを特徴とする。その後の各施工段階（工程）の進捗は、請求項１記載の発明と変わるところはない。但し、砕石保持シートの余長部で砕石の上面を覆った後の何れかの時期に山止めを撤去する工程を含む。
【００３２】
次に、請求項４記載の発明に係る砂浜の安定化方法における排水層の築造方法は、云うなれば、請求項２記載の発明において使用した石詰めユニットと、請求項３記載の発明において採用した山止めを併用する内容である。
【００３３】
請求項４に記載した発明を、図４〜図１２に示した実施例により説明する。
【００３４】
図４は、施工単位の境界線に沿ってによる山止め２を設置し、この山止め２に囲まれた砂浜１を掘削して掘削領域３を形成した段階を示している。山止め２は、安定化施工をする砂浜１の汀線に対し略直交する境界線及び海側の境界線に沿って少なくとも３辺に設置し、施工区域を形成する。施工区域は、例えば幅３０ｍぐらいの幅を一つの単位とし、この施工区域単位１０ａ、１０ｂ，１０ｃごとの区分で順次に安定化処理の作業を進める（請求項１０記載の発明）。
【００３５】
前記の山止め２は、施工区域の境界線位置に、バイブロハンマー１２等を使用し矢板を打ち込んで設置する。矢板としては鋼矢板が好適であるが、木製等であってもよい。山止め２の具体的な設置場所は、図８Ｂに例示したように、施工区域の境界線上に沿った位置、即ち、砂浜１の汀線に略直交する線に沿って平行な２辺と、海側の１辺（図８Ｂに符号２ａで示した山止めを参照。）に沿って設置する。こうして設置した山止め２及び２ａで囲まれた砂浜１を、海水４の流入を防ぎながら例えば２ｍの深さまで掘削して掘削領域３を形成する。
【００３６】
図５は前記掘削領域３へ石詰めユニット６を設置した段階を示している。
【００３７】
石詰めユニット６は、鋼製又は化学繊維製で高さ約１ｍの箱形に形成された容器（例えば箱枠又は布団籠など）の中に、砕石を詰め込んだ構成である。この石詰めユニット６は、前記山止め２の内側面に沿って一乃至複数段きちんと規則的に設置して、山止め２と共に周辺の砂山が崩れるのを防ぐ働きを期待する。石詰めユニット６は、山止め２を引き抜く際に後述の砕石保持シート７を傷付けないように保護する働きと、排水層の高さ管理を可能にし、排水層の連続性を確保する手段としても使用される。
【００３８】
従って、石詰めユニット６は、山止め２の内面に沿う位置のみならず、図１０Ｂのように、掘削領域３を二つ（又は三つ以上）に区分する位置にも設置して実施する場合がある（請求項７記載の発明）。
【００３９】
石詰めユニット６に使用する砕石は、透水係数が大きく、砂の堆積に好都合なように、硬質の玄武岩や安山岩などを砕いて約２０〜４０ｍｍに形成したものなどが好適に使用される。
【００４０】
図６は砕石保持シート７の敷設段階を示している。
【００４１】
砕石保持シート７は、前記掘削領域３の底面から、石詰めユニット６の側面および上面にかけて、後述する接合に必要十分な長さの余長部７ａを備えた長さのものとして敷設される（図６、７参照）。
【００４２】
砕石保持シート７としては、ポリエステル等の合成樹脂製の不織布又は網状シートが砂の堆積に好都合なため使用される。但し、その材質、形態は安定化処理する現地の砂浜１の透水係数によって適宜決められる。前記ポリエステル製や網状シートは、砂浜の透水係数が大きい場合に好適であり、砂浜の透水係数が小さい場合は不織布で製作したものが使用される。
【００４３】
前記のような砕石保持シート７は一般に比重が小さい。一方、海岸等の砂浜を掘削した掘削領域３には通例海水等が地下水の如く湧き出してかなり深い水溜まり状態となり、砕石保持シート７の敷設作業は単に水面に浮かべるだけの状態になり易い。その対策として、図７には砕石保持シート７に重りとしてチエン１５を線条に取り付けたものを示している。この砕石保持シート７は吊り具１６を使用し、重機１７で吊り上げつつ水底に敷設する実施例を図７に示している（請求項１３又は１４記載の発明）。
【００４４】
但し、重りはチエンの限りではなく、砕石保持シート７を水底へ沈設する重量があれば何でも良い。重りの取付け態様も線条の限りではなく、点状、格子状その他任意の配置であって良い。
【００４５】
また、図１０Ｂのように石詰めユニット６により掘削領域３を複数に分割して施工する場合には、砕石保持シート７も分割された区分毎に必要な長さのものを使用して個別に敷設する（請求項７記載の発明）。
【００４６】
図８Ａは掘削領域３内の砕石保持シート７の上へ砕石５を投入する段階を示している。図８Ｂは、掘削領域３へ敷設した砕石保持シート７の上へ、バラの砕石５の投入を機械化手段で行う実施例を示している。即ち、バラの砕石５は台船９に積載し、海上を当該安定化処理する海浜近くの沿岸まで運搬する。当該施工区域１０ｂの沖合に台船９を係留し、当該台船９と施工区域１０ｂの掘削領域３との間にベルトコンベア８を架け渡す。そして、台船９に積んでいる砕石５を当該ベルトコンベア８を利用して沖合から当該掘削領域３の中へ直接投入する。砕石５はバラの状態であるから、ベルトコンベア８に載せるだけで次々と能率良く掘削領域３内へ投入される（請求項１２記載の発明）。
【００４７】
なお、ベルトコンベア８の代りに、図示を省略したクラムセル等の重機を使用して台船９の砕石５をつかみ、掘削領域３内へ落下させて掘削領域３内への投入作業を行ってもよい。
【００４８】
この実施例によれば、従来のように地上作業として砕石５を所定量まとめて布団籠へ中詰めする作業、トラック等で布団籠を現地の砂浜近くまで運ぶ運搬作業、及びクレーン等により布団籠を一つ一つ吊り込む作業が一切不要である。台船９を利用して海側から直接掘削領域３内へと効率よく投入することができる。
【００４９】
図９は、砕石５の投入量が所定のレベルに達した後、前記砕石保持シート７の両側の余長部７ａにより砕石５の上面を被覆し、余長部７ａの重合部Ｐを接合する段階を示している。但し、必要があれば、砕石層５の上面へ目の細い目詰まり防止シート２０を敷設し、その上に砕石保持シート７の余長部７ａを広げて覆い、重合部Ｐの接合を行う（請求項６記載の発明）。覆い砂の流失をできるだけ防ぐためである。図１０Ａは、接合が完成した鳥瞰図を示している。
【００５０】
なお、上記請求項１乃至４に記載した発明も、砂浜を掘削した掘削領域内へ敷設した砕石保持シート７への砕石の投入が完了した後に、図９のように同砕石層５の上面に目詰まり防止シート２０を敷設し、更にその上を砕石保持シート７の余長部７ａで覆い、その重合部Ｐを接合する内容でも実施される（請求項６記載の発明）。
【００５１】
こうして前記掘削領域３内の砕石５の全体を砕石保持シート７で包み込み１個の大きな布団籠構造の排水層が完成する。バラの砕石５は全部砕石保持シート７で完全に覆われるので、個々の砕石５が飛散する虞れは決してなく、排水性能も均一に維持される。
【００５２】
上記請求項１乃至４に記載した発明はまた、砂浜を掘削した掘削領域内の法面の内側面に沿う位置又は山止めの内側面に沿う位置と、当該掘削領域を複数に分割する位置とに石詰めユニットを設置し、かくして石詰めユニットにより分割された掘削領域毎に区分して複数の砕石保持シートを敷設し、その後はそれぞれの砕石保持シートについて以降の各施工段階を進める内容でも実施される（請求項７、８記載の発明）。図１０Ｂは掘削領域３の中央に石詰めユニット６が設置され、二つに区分された掘削領域に敷設された二つの砕石保持シート７、７毎に二つの大きな布団籠構造の排水層を完成した鳥瞰図を示している。
【００５３】
最終的には図１１に示したように、前記のように接合した砕石保持シート７の上面に、やはり砕石を詰めて高さ（厚さ）約２０〜５０ｃｍの袋状に作った布団籠の如き透水性ユニット１１を載置する工程と、更にその上を覆い砂１ａで覆う作業とが行われる（請求項１１の発明）。前記透水性ユニット１１は護岸ブロックとなり、下方の砕石５を密接状態に加圧して高品質に砂防することができる。こうして、外観上は現地の砂浜１と同等レベルで一連状態の砂浜が復旧する。
【００５４】
本発明の場合は、山止め２を撤去して当該施工区域１０の排水層の築造工事が終了する。山止め２に隣接する石詰めユニット６が、砕石保持シート７と山止め２とを隔離する形に両者の間に介在するので、山止め２を引き抜く際には山止め（矢板）２が砕石保持シート７と接触せず、当該砕石保持シート７を傷付ける虞れがない。但し、山止め２を引き抜く時期は、石詰めユニット６の設置後は、何時でも任意の時期に行える。
【００５５】
上述した砂浜の安定化方法における排水層の築造方法は、必要があれば上述した施工単位の区域毎に、具体的には図８Ｂに符号１０ａ、１０ｂ、１０ｃで示した施工区域毎に順次繰り返して行い、所要範囲まで砂浜の安定化方法の施工が進められる（請求項１０記載の発明）。
【００５６】
したがって、本発明に係る砂浜の安定化方法における排水層の築造方法が完成すると、図１２に示したように、沖合から押し寄せてきた波４ａは岸の砂浜１で砕波され、沖合へと戻る。その際、覆い砂１ａが誘導材となり、また、排水層を形成する砕石５（透水性ユニット１１と石詰めユニット６、砕石保持シート７）により速やかに排水（砂防）し、覆い砂１ａの上に新しい砂が残留して積層される安定化構造が完成し、ここに砂層が成長するなど、波浪による砂浜１の侵食が防止される。
【００５７】
上述した請求項１〜４記載の発明は、いずれも砕石保持シート７の両端に余長部７ａを設け、砕石層５の上面は前記余長部７ａ、７ａを広げて覆い、最終的には余長部７ａ、７ａ同士の重合部Ｐを接合する点において共通する。しかし、余長部７ａを含めると幅が３０ｍにも及ぶ砕石層を一周する程に長い砕石保持シート７は、ただでさえその取扱いが面倒である。その上、砕石層５の上面に余長部７ａを広げて覆う作業も種々の手間がかかる。
【００５８】
請求項５記載の発明は、上記問題の改良案である。この発明は、砕石保持シートの余長部は可能なかぎり短かくし、その代わりに別途蓋シートを使用することを特徴とする。
【００５９】
即ち、図１３と図１４は請求項５記載の発明の一実施形態を示したもので、砕石保持シート７の左右両端の余長部７ａ、７ａは、砕石層５の上面へ露出するが、折り曲げると蓋シート２１との重合部Ｐを接合可能なだけの長さ（例えば１ｍ位露出する長さ）とされている。一方、蓋シート２１は前記砕石保持シート７とは別個独立の物品として構成される。その大きさは砕石層５の上面を一枚で、又は同砕石層５を長手方向（図１３の紙面と垂直な方向）に複数に分割した複数枚で覆う幅寸と長さに形成される。従って、蓋シート２１の材質、性状も、前記砕石保持シート７と同一、又は上記した目詰り防止シート２０（図９参照）を兼ねる機能のシートとして実施することができる。余長部７ａと蓋シート２１との重合部Ｐを接合する手段は、上記の各実施例と同様である。蓋シート２１は、請求項７又は８の発明にも応用実施できる（請求項９の発明）。
【００６０】
図１３と図１４から明らかなように、この発明に係る排水層築造方法によれば、砕石保持シート７の全長が約１／２近くまで短縮されるので、長いものをズルズルと引き廻す作業の面倒さが解消され作業能率が向上する。一方、蓋シート２１は砕石層５の上面を覆うように敷き込めば良い訳で作業性が良い。のみならず、下記する排水層築造方法の実施も容易ならしめる。
【００６１】
図１５は、請求項１５記載の発明の実施形態であって、上記図１３の実施例における蓋シート２１（又は図２、図９、図１１の余長部７ａ、目詰り防止シート２０）を、掘削領域の底面に敷いた砕石保持シート７に下端を鉤止め等の手段で止着して立ち上げた複数のロープその他の締付け部材２２を利用して砕石層５の上面へきっちり密着する状態に押え付けた構成を特徴とする。
【００６２】
図２のように砕石層５の上面を覆った余長部７ａ（図１３、図１５の蓋シート２１の場合も同じ）は、覆い砂や透水性ユニットで覆われる以前の施工途中段階では、その裏側の砕石５との間に空気又は海水をはらんで膨れ、所謂ブカブカ状態となって見栄えが悪く、その上を歩きにくいばかりでなく、ブカブカと揺れる間に砕石等によって損傷を受け、砂の堆積を望み難いこともあり得る。前記のように複数の締付け部材２２を利用して複数箇所（適所）をきっちり押さえ付けることによって平坦な密着状態を恒久的に維持し、景観を良好に保ち、その上を歩いたりし易くし、損傷を受け難く、砂浜への復旧を容易ならしめる。
【００６３】
上記図１５に示した排水層築造方法の実施例を図１６〜図２０に示した。
【００６４】
図１６は掘削領域内の山止め内側面へ石詰めユニット６を設置し、砕石保持シート７を敷設した後、蓋シート等の押さえ付け効果の適正を考慮して定めた複数位置に、下端を砕石保持シート７へ止着した、ロープ、ワイヤーその他好ましくは柔軟性のある締付け部材２２を立ち上げた段階を示している。通例、この段階では掘削領域の砕石保持シート７の上に海面との高低差にしたがい地下から湧き出るか又は山止め２の隙間から流入した海水等２４が満ちているので、前記締付け部材２２は、その上端部にフロート２３を取付けて少なくとも水面下に沈み込まない措置を講ずる。
【００６５】
更に、図１７は、上記のように水面に浮かぶフロート２３で上端を支持せしめ沈まない措置をしたものの、揺ら揺ら動く締付け部材２２の上端の位置を、後の各作業工程の進捗に不都合を生じないように位置決めし、拘束する手段として、掘削領域の幅方向に位置決めロープ２４（ワイヤー、鋼線等でも可）を張った実施例を示している。図１７と図１８はまた、前記位置決めロープ２４を張設する手段として、砕石保持シート７の余長部７ａの近辺に、ロープ止着部としての孔２５を一定ピッチで複数設けた止着用帯状体２６を、縫合あるいは溶着等の手段で予め付設しておいて、位置決めロープ２４はその両端に予め取付けた抜け止めストッパ付きのクリップ２７を前記孔２５へ嵌めて張り渡す実施例を示している。
【００６６】
図１７の場合、位置決めロープ２４は２本であるのに対し、止着用帯状体２６の孔２５はきわめて多数であるが、これは単に一定実施形態の説明にすぎない。と同時に、前記止着用帯状体２６の孔２５は、図２１に示したように平行な２辺（又は４辺全部でも可）に前述のストッパ付きクリップ２７を取付けた止着部材を多数付設して成る蓋シート２１の取付け手段を説明する実施例でもある。即ち、止着部材のクリップ２７を、図１７の止着用帯状体２６の孔２５へ順に個別に止めることにより、蓋シート２１は、砕石層の上面を覆う形に敷設することができる。この場合、砕石保持シート７の余長部７ａと重ねて接合することを格別要しない。但し、接合することは、現場の状況に応じて自由である。蓋シート２１には、各締付け部材２２の配置及び本数に倣って共通する位置に、フロート２３を通し得る口径の通孔２８が予め設けられている。
【００６７】
図１９と図２０は、位置決めロープを縦、横に張設する場合の実施例を示している。図１７と図１９を対比して明らかなように、砕石保持シート７の残り２辺（結局、４辺）に砕石層の層厚に相当する立上り部７ｂと、及び砕石の上面へ露出する長さの余長部７ｃとを一連に設けると共に、該余長部７ｃに沿ってその長手方向に複数の孔２５を有する止着用帯状体２６を付設した構成とされている。図２０に示したように、砕石保持シート７の４辺の立上り部７ｂを起立させ、各コーナー部を縫合又は溶着、クリップ止め等の手段で接合することによって箱状体に組立て、４辺の止着用帯状体２６の孔２５を利用して、縦、横の位置決め用ロープ２４、２４’を張設する。そして、縦、横の位置決め用のロープ２４と２４’の交点を各締付け部材２２の位置と一致させ、締付け部材２２の上端部を縦、横の位置決め用ロープ２４、２４’と共通に結束等する。かくすると、締付け用部材２２の位置は水面の波浪や海水の干満、あるいは風圧などによって移動することのない、きっちりとした位置決めが行われる。
【００６８】
図１７又は図２０のように締付け部材２２の位置決め処理が終了した後に、砕石保持シート７の上へ砕石の投入を行う。こうして砕石層の形成が完了した後に、上記蓋シート２１を砕石層の上面へ敷き込み、同蓋シート２１に予め形成してある通孔２８を各締付部材２２のフロート２３へ通し、その後前記通孔２８の口径よりも十分大きい直径の座板等を用い、締付け部材２２を引張って強く緊張した状態に締着する処理を行ない、一例として図１５に示しているように、締付け部材２２を仲介にして砕石保持シート７と蓋シート２１（又は余長部７ａ）とで砕石層５を１個のフトンの如くに挟み付けて、個々の砕石が流動化することのないように固定化する。その後、図１５の蓋シート２１等の上にも、図１１の実施例と同様に透水性ユニット１１を置き、更に覆い砂１ａで覆って表層を砂浜に復旧することは上記の各実施例と同じである。
【００６９】
【発明の奏する効果】
本発明に係る砂浜の安定化方法における排水層の築造方法によれば、排水層に使用する砕石をバラの状態で台船等を利用して無造作に迅速に掘削領域（砂浜）へ投入できるので、砂浜の安定化施工を飛躍的に効率よく行え、工期の短縮、施工コストの低減が達成される。しかも、排水層を形成する砕石は砕石保持シート又は蓋シート、及び石詰めユニットで被覆され、飛散する虞れがないから、砂の堆積が恒久的に維持され、高品質な砂浜の安定化構造が実現する。投入された砕石の周囲に位置する石詰めユニットは、排水層の高さ管理をし、且つ砕石の連続性が維持されるから、施工の管理と透水の維持管理を楽に行える。
【図面の簡単な説明】
【図１】ａ〜ｃは請求項１記載の発明の実施形態を概念的に示した工程説明図である。
【図２】完成した安定化構造の断面図である。
【図３】ａ〜ｃは請求項２記載の発明の実施形態を概念的に示した工程説明図である。
【図４】請求項４記載の発明における砂浜の掘削段階を示した断面図である。
【図５】石詰めユニットの設置段階を示した断面図である。
【図６】砕石保持シートの敷設段階を示した断面図である。
【図７】砕石保持シートの敷設作業の概念図である。
【図８】Ａ、Ｂは砕石の投入段階を示した断面図と全体の鳥瞰図である。
【図９】砕石保持シートの接合段階を示した断面図である。
【図１０】Ａは接合工程を完了した段階の斜視図、Ｂは掘削領域を二つに区分し二つの砕石保持シートを使用して接合工程を完了した段階の斜視図である。
【図１１】完成した排水層の断面図である。
【図１２】安定化処理された海浜を示した断面図である。
【図１３】請求項５記載の発明に係る方法で築造された排水層の断面図である。
【図１４】前記排水層の斜視図である。
【図１５】請求項１５記載の発明に係る方法で築造された排水層の断面図である。
【図１６】締付け部材の配置状況を示した斜視図である。
【図１７】締付け部材を位置決めロープで拘束した状況を示す斜視図である。
【図１８】位置決めロープの端部の止着手段を示す斜視図である。
【図１９】締付け部材を縦、横の位置決めロープで拘束する場合の全体構成を示した斜視図である。
【図２０】締付け部材を縦、横の位置決めロープで拘束した状況の斜視図である。
【図２１】蓋シートの一実施例を示した斜視図である。
【図２２】従来の排水層築造方法の一例を示した斜視図である。
【符号の説明】
１    砂浜
３ 掘削領域
７    砕石保持シート
７ａ  余長部
３ａ  法面
５    砕石
ｐ    重合部
１ａ  覆い砂
６    石詰めユニット
２    山止め（矢板）
２０  目詰まり防止シート
ｐ    重合部
９    台船
１０  施工区域
１１  透水性ユニット
２１ 蓋シート
１５  チエン（重り）
２２ 締付け部材
２３ フロート
２４ 位置決めロープ
２６ 止着用帯状体
【図１】
0004264487.tif 000002
【図２】
0004264487.tif 000003
【図３】
0004264487.tif 000004
【図４】
0004264487.tif 000005
【図５】
0004264487.tif 000006
【図６】
0004264487.tif 000007
【図７】
0004264487.tif 000008
【図８】
0004264487.tif 000009
【図９】
0004264487.tif 000010
【図１０】
0004264487.tif 000011
【図１１】
0004264487.tif 000012
【図１２】
0004264487.tif 000013
【図１３】
0004264487.tif 000014
【図１４】
0004264487.tif 000015
【図１５】
0004264487.tif 000016
【図１６】
0004264487.tif 000017
【図１７】
0004264487.tif 000018
【図１８】
0004264487.tif 000019
【図１９】
0004264487.tif 000020
【図２０】
0004264487.tif 000021
【図２１】
0004264487.tif 000022
【図２２】
0004264487.tif 000023